(57)【要約】【課題】ＦＰＣの変形に伴う抵抗によって撮像素子の位置や傾きが変動することを抑える防振ユニット、及び防振ユニットの組立方法を提供する。【解決手段】ユニットベースと、ユニットベースに収容された撮像素子と、撮像素子に接続されたフレキシブルプリント基板と、ユニットベースにスライド可能に保持され、撮像素子を固定するホルダと、を備える防振ユニットであって、フレキシブルプリント基板が、ユニットベースと第１の取付け部で貼り合わされ、ホルダと第２の取付け部で貼り合わされ、前記フレキシブルプリント基板の、前記第１の取付け部から前記撮像素子まで延設された部分において、第２の取付け部の位置が、第１の取付け部の位置と、撮像素子の位置との間である。【選択図】図５
2013041006.tif 000002
【特許請求の範囲】
【請求項１】
ユニットベースと、
前記ユニットベースに収容された撮像素子と、
前記撮像素子に接続されたフレキシブルプリント基板と、
前記ユニットベースにスライド可能に保持され、前記撮像素子を固定するホルダと、を備える防振ユニットであって、
前記フレキシブルプリント基板が、前記ユニットベースと第１の取付け部で貼り合わされ、前記ホルダと第２の取付け部で貼り合わされ、前記フレキシブルプリント基板の、前記第１の取付け部から前記撮像素子まで延設された部分において、前記第２の取付け部の位置が、前記第１の取付け部の位置と、前記撮像素子の位置との間である防振ユニット。
【請求項２】
請求項１に記載の防振ユニットであって、
前記フレキシブルプリント基板は、該フレキシブルプリント基板を折り曲げてなる折り曲げ部を有し、
前記折り曲げ部が、前記第１の取付け部と前記第２の取付け部との間に位置する防振ユニット。
【請求項３】
請求項１又は２に記載の防振ユニットであって、
前記ホルダをスライドさせる際に該ホルダをスライド方向にガイドするガイド軸を有し、
前記第２の取付け部が、前記ガイド軸に近い位置にある防振ユニット。
【請求項４】
請求項１又は２に記載の防振ユニットであって、
前記第２の取付け部が、前記ガイド軸より遠い位置にある防振ユニット。
【請求項５】
ユニットベースと、
前記ユニットベースに収容される撮像素子と、
前記撮像素子に接続されたフレキシブルプリント基板と、
前記ユニットベースにスライド可能に保持され、前記撮像素子を固定するホルダと、を備える防振ユニットの組立方法であって、
前記フレキシブルプリント基板を前記ユニットベースと第１の取付け部で貼り合わせ、前記フレキシブルプリント基板を、前記フレキシブルプリント基板の、前記第１の取付け部から前記撮像素子まで延設された部分において前記第１の取付け部と前記撮像素子との間に位置する第２の取付け部で貼り合わせ、その後、前記撮像素子を前記ホルダに固定する防振ユニットの組立方法。
【発明の詳細な説明】
【技術分野】
【０００１】
本発明は、防振ユニット、及び防振ユニットの組立方法に関する。
【背景技術】
【０００２】
デジタルカメラ等の撮像装置には、手ブレ等による撮影画像の乱れ（像ブレ）を抑制するために防振ユニットが搭載されている。
【０００３】
防振ユニットには、補正レンズを動かすことにより光軸を補正するレンズシフト方式と、ＣＣＤイメージセンサ等の撮像素子を手ブレに応じて移動させることによって光軸を撮像素子の撮像面に合わせるセンサシフト方式とがある。
【０００４】
センサシフト方式の防振ユニットには、撮像素子と外部回路とを接続する接続線に撮像素子の変位に対応可能なフレキシブルプリント基板（ＦＰＣ）を用いたものがある（例えば、特許文献１参照）。特許文献１に記載の防振ユニットは、撮像素子を変位する駆動部の２つのコイルが、ＦＰＣの捩れ角変形に伴う抵抗変動の影響を受けないように配置されている。
【先行技術文献】
【特許文献】
【０００５】
【特許文献１】特開２００７−５８０９０号公報
【発明の概要】
【発明が解決しようとする課題】
【０００６】
ＦＰＣを備える防振ユニットにおいて、防振ユニットの製造工程では、典型的には、撮像素子と接続線であるＦＰＣとを一体に組み付けた後、撮像素子を撮像素子ホルダに固定する。そして、撮像素子の撮像面を基準面に合わせる調整を行なう。このとき、ＦＰＣの変形に伴う抵抗によって撮像素子が変位することによって、撮像面が基準面に対して調整された位置からずれてしまう虞がある。
【０００７】
特許文献１に記載された防振ユニットでは、ＦＰＣの変形に伴う抵抗を完全に無くすことは困難であり、撮像素子に傾きなどが生じて、基準面に対する位置がずれることを十分に抑えられない虞がある。
【０００８】
本発明は、上記事情を鑑みてなされたものであり、ＦＰＣの変形に伴う抵抗によって撮像素子の位置や傾きが変動することを抑える防振ユニット、及び防振ユニットの組立方法を提供することにある。
【課題を解決するための手段】
【０００９】
（１）ユニットベースと、
前記ユニットベースに収容された撮像素子と、
前記撮像素子に接続されたフレキシブルプリント基板と、
前記ユニットベースにスライド可能に保持され、前記撮像素子を固定するホルダと、を備える防振ユニットであって、
前記フレキシブルプリント基板が、前記ユニットベースと第１の取付け部で貼り合わされ、前記ホルダと第２の取付け部で貼り合わされ、前記フレキシブルプリント基板の、前記第１の取付け部から前記撮像素子まで延設された部分において、前記第２の取付け部の位置が、前記第１の取付け部の位置と、前記撮像素子の位置との間である防振ユニット。
（２）ユニットベースと、
前記ユニットベースに収容される撮像素子と、
前記撮像素子に接続されたフレキシブルプリント基板と、
前記ユニットベースにスライド可能に保持され、前記撮像素子を固定するホルダと、を備える防振ユニットの組立方法であって、
前記フレキシブルプリント基板を前記ユニットベースと第１の取付け部で貼り合わせ、前記フレキシブルプリント基板を、前記フレキシブルプリント基板の、前記第１の取付け部から前記撮像素子まで延設された部分において前記第１の取付け部と前記撮像素子との間に位置する第２の取付け部で貼り合わせ、その後、前記撮像素子を前記ホルダに固定する防振ユニットの組立方法。
【発明の効果】
【００１０】
本発明によれば、ＦＰＣの変形に伴う抵抗によって撮像素子の位置や傾きが変動することを抑える防振ユニット、及び防振ユニットの組立方法を提供できる。
【図面の簡単な説明】
【００１１】
【図１】本発明の実施形態を説明するための、撮像装置の一例を模式的に示す図である。
【図２】図１の撮像装置の鏡胴ユニット及び防振ユニットの外観を示す図である。
【図３】図１の撮像装置の防振ユニットの外観を示す図である。
【図４】図１の撮像装置の防振ユニットを分解して示す図である。
【図５】図３における防振ユニットのＶ−Ｖ線断面を示す図である。
【図６】図３の防振ユニットにおける、ホルダ周辺の構成を示す図です。
【図７】図３の防振ユニットにおけるＦＰＣとホルダを貼り合わせる位置を模式的に示す図である。
【図８】図３の防振ユニットの変形例におけるＦＰＣとホルダを貼り合わせる位置を模式的に示す図である。
【図９】図３の防振ユニットの変形例におけるＦＰＣとホルダを貼り合わせる位置を模式的に示す図である。
【発明を実施するための形態】
【００１２】
図１は、本発明の実施形態を説明するための、撮像装置の一例を模式的に示す。
【００１３】
図１に示す撮像装置は、デジタルカメラである。以下、カメラ１という。カメラ１は、入射光を結像させる光学系を有する鏡胴ユニット２と、鏡胴ユニット２の光学系によって形成される像を撮像する撮像素子を有する防振ユニット３と、鏡胴ユニット２及び防振ユニット３を収納する筐体４とを備えている。防振ユニット３は、撮像素子を移動させることによって像ブレを補正する。
【００１４】
鏡胴ユニット２の光学系は、いわゆる屈曲光学系であり、Ｙ方向に延びる第１の光軸Ａ１に沿って入射する入射光を屈曲させ、Ｚ方向に延びる第２の光軸Ａ２に沿って導光し、防振ユニット３の撮像素子上に結像させる。
【００１５】
防振ユニット３は、筐体４の底部に沿って配置されている。
【００１６】
図２は、鏡胴ユニット２及び防振ユニット３の外観を示す。
【００１７】
鏡胴ユニット２は、上記の光学系と、この光学系を収納する鏡胴１０とを有している。光学系は、例えば、筐体４の外部に露呈するレンズＬ１及びレンズに入射した光を屈曲させるプリズム（図示せず）を含む対物系、フォーカシング系、ズーミング系、補正系、等の複数のレンズ群によって構成される。
【００１８】
防振ユニット３は、その外殻を構成するカバー２４に設けられた複数の係合部２４ａを鏡胴１０の出射側端部に係合させ、鏡胴ユニット２に組み付けられている。
【００１９】
図３は防振ユニット３の外観を示し、図４は、防振ユニット３を分解して示し、図５は防振ユニット３の断面を示す。図６は、ＦＰＣ、及び支持機構及びユニットベースの組み合わせ体をＺ方向に見た状態を示す斜視図である。
【００２０】
防振ユニット３は、鏡胴ユニット２の光学系によって形成される像を撮像する撮像素子２０と、上記の光学系の第２の光軸Ａ２（図１参照）と直交する面（ＸＹ平面）内において撮像素子２０を移動自在に支持する支持機構と、支持機構を移動させることによって撮像素子２０を移動させる磁気駆動部２２と、支持機構及び磁気駆動部２２を保持するユニットベース２３と、ユニットの外殻を構成するカバー２４とを有している。
【００２１】
上記の支持機構は、Ｘ方向に平行に延在し、ユニットベース２３に固定された一対の第１のガイド軸３１ａ，３１ｂと、スライダ３２と、Ｙ方向に平行に延在する一対の第２のガイド軸３３ａ，３３ｂが固定されたホルダ３４とを有している。撮像素子２０は、ホルダ３４に取り付けられている。
【００２２】
スライダ３２は、第１のガイド軸３１ａ，３１ｂに摺動可能に係合しており、これら第１のガイド軸３１ａ，３１ｂが固定されたユニットベース２３に対して、Ｘ方向に移動自在に支持されている。また、スライダ３２は、第２のガイド軸３３ａ，３３ｂに摺動可能に係合しており、第２のガイド軸３３ａ，３３ｂが固定されたホルダ３４は、スライダ３２に対してＹ方向に移動自在に支持されている。ユニットベース２３に対するスライダ３２のＸ方向の移動、及びスライダ３２に対するホルダ３４のＹ方向の移動の組み合わせにより、ホルダ３４に取り付けられた撮像素子２０は、ＸＹ平面内において移動自在となっている。
【００２３】
磁気駆動部２２は、ホルダ３４をＸ方向に移動させるための第１の駆動部４０と、ホルダ３４をＹ方向に移動させるための第２の駆動部４１とを有している。第１の駆動部４０は、マグネット４２及びコイル４３、並びにマグネット４２の磁界を検出するホール素子４４によって構成されている。第２の駆動部４１も同様に、マグネット４５及びコイル４６、並びにマグネット４５の磁界を検出するホール素子４７によって構成されている。
【００２４】
第１の駆動部４０において、マグネット４２は、ホルダ３４に取り付けられており、ホルダ３４と共に移動する。コイル４３は、マグネット４２の上側にあってマグネット４２に対向して配置されており、ユニットベース２３に固定されている。ホール素子４４は、マグネット４２の下側にあってマグネット４２に対向して配置されており、保持板４８を介してユニットベース２３に固定されている。
【００２５】
コイル４３に電流が供給されると、コイル４３によって磁界が形成され、コイル４３の磁界とマグネット４２の磁界との間に作用する引力又は斥力によって、ホルダ３４はＸ方向に移動される。ホルダ３４のＸ方向の移動に伴い、ホール素子４４の位置におけるマグネット４２の磁界が変化し、この磁界の変化はホール素子４４によって検出される。ホール素子４４により検出された磁界の変化に基づき、制御部（図示せず）によってコイル４３に供給される電流が制御され、それによりホルダ３４のＸ方向の移動が制御される。
【００２６】
同様に、第２の駆動部４１において、マグネット４５は、ホルダ３４に取り付けられており、ホルダ３４と共に移動する。コイル４６は、マグネット４５の上側にあってマグネット４５に対向して配置され、ユニットベース２３に固定されている。ホール素子４７は、マグネット４５の下側にあって、保持板４８を介してユニットベース２３に固定されている。
【００２７】
コイル４６に電流が供給されると、コイル４６によって磁界が形成され、コイル４６の磁界とマグネット４５の磁界との間に作用する引力又は斥力によって、ホルダ３４はＹ方向に移動される。ホルダ３４のＹ方向の移動に伴い、ホール素子４７の位置におけるマグネット４５の磁界が変化し、この磁界の変化はホール素子４７によって検出される。ホール素子４７により検出された磁界の変化に基づき、制御部（図示せず）によってコイル４６に供給される電流が制御され、それによりホルダ３４のＹ方向の移動が制御される。
【００２８】
上述のように、第１の駆動部４０及び第２の駆動部４１のいずれにおいても、コイル、マグネット、ホール素子がこの順に一列に並んで配置されており、コイルによる駆動とホール素子による磁界検出とでマグネットが共用されており、駆動部の小型化が図られている。
【００２９】
第１の駆動部４０及び第２の駆動部４１は、撮像素子２０と共にＸ方向に並んで配置されている。それにより、カメラ１の厚み方向に相当するＹ方向に関して、防振ユニット３の小型化が図られている。なお、第１の駆動部４０及び第２の駆動部４１は、撮像素子２０を間に挟むように、撮像素子２０の両側にそれぞれ配置されてもよいが、図示の例では、撮像素子２０に対して同じ側に配置されている。
【００３０】
撮像素子２０は、ＦＰＣ２５の端部に実装されている。撮像素子２０が実装される面とは反対側のＦＰＣ２５の裏面において撮像素子２０と重なる箇所には、保持板２６が設けられている。この保持板２６は、撮像素子２０をホルダ３４に取り付ける際の把持部として機能すると共に、カメラ１が落下した際などに撮像素子２０に作用する衝撃を緩和する緩衝材としても機能する。
【００３１】
ＦＰＣ２５は、第１の駆動部４０及び第２の駆動部４１並びに撮像素子２０が並ぶＸ方向に延在し、防振ユニット３のＸ方向の端部に位置する折り曲げ部２５Ａにおいて略９０度にＺ方向に折り返され、その後、後述するように第１の取付け部２５ａでＹ方向に平行な線で２回折り返され、更にＸ方向に平行な線で１回折り返される。そして、ＦＰＣはこのように適宜折り返され、制御部（図示せず）に接続されている。ＦＰＣ２５は、折り曲げ部２５Ａと撮像素子２０が実装されている部分との間は、折り曲げ部等が存在せず、ほぼ平坦部である。
【００３２】
特に、図示の例のように、第１の駆動部４０及び第２の駆動部４１が、撮像素子２０に対して同じ側に配置されている場合に、ＦＰＣ２５のＸ方向に沿う配線長さを十分に確保することができる。それにより、撮像素子２０のＹ方向の移動に追従する際の撓みに起因してＦＰＣ２５の各部に作用する応力を緩和することができる。
【００３３】
また、ＦＰＣ２５は、ユニットベース２３と、ホルダ３４とのそれぞれに接着されている。ここで、ＦＰＣ２５において、ユニットベース２３と貼り合わされている部分を第１の取付け部２５ａとし、ホルダ３４と貼り合わされている部分を第２の取付け部２５ｂとする。
【００３４】
第１の取付け部２５ａは、図５に見られるようにＵ字形状に折り曲げた部分の、Ｚ方向に垂直な面であり、かかる面でユニットベース２３におけるＺ方向に垂直な面に面接触している。なお、ＦＰＣ２５における第１の取付け部２５ａの位置は適宜変更可能であり、上述の構成に限定されない。例えば、第１の取付け部２５ａは、ユニットベース２３に固定することができれば、ユニットベース２３においけるＸ方向に垂直な面やＹ方向に垂直な面に面接触するように設けられていても良い。例えば、第１の取付け部２５ａは、ＦＰＣ２５の制御部（図示せず）に接続される側の端部に設けられていて良い。
【００３５】
第２の取付け部２５ｂは、ホルダ３４におけるＺ方向に対して垂直な面３４ｂに面接触している。この面３４ｂの面積の大きさは、ＦＰＣ２５とホルダ３４とを固定することができる範囲で十分な大きさとすれば良い。
【００３６】
防振ユニット３は、撮像素子２０をスライドさせる方向（図５ではＸ方向）において、第２の取付け部２５ｂの位置が、第１の取付け部２５ａの位置と、撮像素子２０の位置との間である。また、言い換えると、第２の取付け部２５ｂの位置は、ＦＰＣ２５の、第１の取付け部２５ａから撮像素子２０まで延設された部分において、第１の取付け部２５ａの位置と、撮像素子２０の位置との間であれば良い。
【００３７】
次に、上述した防振ユニットの組み合わせ手順について説明する。
先ず、ユニットベース２３にホルダ３４を含む支持機構を取り付ける。その後、撮像素子２０をホルダ３４へ取り付ける前に、撮像素子２０が実装されたＦＰＣ２５の第１の取付け部２５ａをユニットベース２３に取り付ける。続いて、ＦＰＣ２５の第２の取付け部２５ｂをホルダ３４の面３４ｂに取り付ける。このとき、ＦＰＣ２５の第１の取付け部２５ａから撮像素子２０まで延設された部分において、第２の取付け部２５ｂの位置が、第１の取付け部２５ａの位置と、撮像素子２０の位置との間である。
【００３８】
ＦＰＣ２５をユニットベース２３及びホルダ３４に取り付けた後、ＦＰＣ２５に実装された撮像素子２０をホルダ３４へ取り付ける。ホルダ３４への撮像素子２０の取り付けは、例えば空中接着によって行われ、具体的には、適宜な治具を用いて保持板２６を把持し、ホルダ３４を含む上記の支持機構がユニットベース２３に保持された状態で、Ｘ、Ｙ、Ｚの各軸方向の撮像素子２０の位置及び各軸まわりの撮像素子２０の角度が調整され、これらの調整がなされた状態で撮像素子２０はホルダ３４に接着される。
【００３９】
ＦＰＣ２５には、折り曲げ等の変形に伴う抵抗によって撮像素子２０の位置や傾きを変動する力が生じる。そこで、この防振ユニット３の組立方法においては、ＦＰＣ２５がユニットベース２３とホルダ３４に予め取り付けられているため、撮像素子２０をホルダ３４に取り付ける際には、撮像素子２０がＦＰＣ２５による変動による影響を受けている状態である。このため、撮像素子２０をホルダ３４に取り付ける際に撮像素子２０の位置や傾きを調整すれば、防振ユニット３を組み立てた後で、ＦＰＣ２５の変形に伴う抵抗によって撮像素子の位置や傾きが変動することを抑えられる。また、第２の取付け部２５ｂと撮像素子２０は、同じホルダ３４に固定されるため、第１の取付け部２５ａと第２の取付け部２５ｂとの間のＦＰＣ２５がどのような形状であっても、その形状による変動の影響が調整された後の撮像素子に及ぶことがないうえ、ＦＰＣ２５の配線の構成など設計の自由度が向上する。
【００４０】
なお、第２の取付け部２５ｂと撮像素子２０との間のＦＰＣ２５の寸法や形状は、撮像素子２０の位置や傾きの調整が可能なように必要十分であれば良い。
【００４１】
次に、ＦＰＣの取り付けた位置とその効果との関係について説明する。
【００４２】
図７は、図３の防振ユニットにおけるＦＰＣとホルダを貼り合わせる位置を模式的に示す図である。
【００４３】
撮像素子２０をスライドさせる方向（図７ではＸ方向）において、第２の取付け部２５ｂの位置が、第１の取付け部２５ａの位置と、撮像素子２０の位置との間である。そして、第２の取付け部２５ｂが、撮像素子２０よりも第１の取付け部２５ａ側に近い位置にある。
【００４４】
図７に示すように、撮像素子２０をスライドさせる第１のガイド軸３１ｂと、第２の取付け部２５ｂとの位置関係に応じて、撮像素子２０の変動を抑える効果に変化が生じる。
第２の取付け部２５ｂが第１のガイド軸３１ｂに近い場合には、組立て時に第１のガイド軸３１ｂと第２の取付け部２５ｂとの間の距離が短く、この距離が短い場合には、ホルダ３４に撮像素子２０を固定する前の状態において、ホルダ３４にかかるモーメントが小さくなり、ＦＰＣ２５に変形の抵抗によって撮像素子２０が変動する量を小さく抑える点で有利である。
【００４５】
図８は、図３の防振ユニットの変形例におけるＦＰＣとホルダを貼り合わせる位置を模式的に示す図である。
【００４６】
撮像素子２０をスライドさせる方向（図８ではＸ方向）において、第２の取付け部２５ｃの位置が、第１の取付け部２５ａの位置と、撮像素子２０の位置との間である。そして、第２の取付け部２５ｃが、第１の取付け部２５ａよりも撮像素子２０側に近い位置にある。
【００４７】
第２の取付け部２５ｃが第１のガイド軸３１ｂから遠い場合には、組立て時に第１のガイド軸３１ｂとＦＰＣ２５の第２の取付け部２５ｃとの間の距離が図７の配置に比べて大きくなり、組立て時にＦＰＣ２５の変形による抵抗によってホルダ３４の変動する量が大きくなる。そのため、撮像素子２０を調整する前の変動量が大きくなり、調整後に変動する量を小さく抑えることができる点で有利である。
【００４８】
上述のように、図７の構成とすれば、ホルダ３４の変動量自体を抑えているため、ホルダ３４を正確にスライドさせることができる。図８の構成とすれば、調整後に撮像素子２０の位置が変動したときのリスクを低減できる。
【００４９】
図９は、図３の防振ユニットの変形例におけるＦＰＣとホルダを貼り合わせる位置を模式的に示す図である。この構成では、ＦＰＣ２５の第１の取付け部２５ａは、上述の図７及び図８で示した構成と同じである。しかし、第２の取付け部２５ｂの位置が、上述の図７及び図８で示した構成とは異なっている。
【００５０】
具体的には、ＦＰＣ２５の第２の取付け部２５ｂは、ホルダ３４のＸ方向の端部におけるＸ方向に垂直な面に面接触する。また、ＦＰＣ２５の撮像素子２０が実装されている部分は、第２の取付け部２５ｂで折り返されて、ホルダ３４に取り付けられている。ＦＰＣ２５の撮像素子２０が実装されている部分とホルダ３４とを接着する位置は、上述の図７及び図８で示した構成と同じである。また、防振ユニットの組み合わせ手順についても上述と同様である。
【００５１】
図９に示すように、第２の取付け部２５ｂの位置は、ＦＰＣ２５の、第１の取付け部２５ａから撮像素子２０まで延設された部分において、第１の取付け部２５ａの位置と、撮像素子２０の位置との間である。このため、撮像素子２０をホルダ３４に取り付ける際に撮像素子２０の位置や傾きを調整すれば、防振ユニット３を組み立てた後で、ＦＰＣ２５の変形に伴う抵抗によって撮像素子の位置や傾きが変動することを抑えることができる。
【００５２】
本明細書は次の事項を開示する。
（１）ユニットベースと、
前記ユニットベースに収容された撮像素子と、
前記撮像素子に接続されたフレキシブルプリント基板と、
前記ユニットベースにスライド可能に保持され、前記撮像素子を固定するホルダと、を備える防振ユニットであって、
前記フレキシブルプリント基板が、前記ユニットベースと第１の取付け部で貼り合わされ、前記ホルダと第２の取付け部で貼り合わされ、前記フレキシブルプリント基板の、前記第１の取付け部から前記撮像素子まで延設された部分において、前記第２の取付け部の位置が、前記第１の取付け部の位置と、前記撮像素子の位置との間である防振ユニット。
（２）（１）に記載の防振ユニットであって、
前記フレキシブルプリント基板は、該フレキシブルプリント基板を折り曲げてなる折り曲げ部を有し、
前記折り曲げ部が、前記第１の取付け部と前記第２の取付け部との間に位置する防振ユニット。
（３）（１）又は（２）に記載の防振ユニットであって、
前記第２の取付け部が、前記ガイド軸に近い位置にある防振ユニット。
（４）（１）又は（２）に記載の防振ユニットであって、
前記第２の取付け部が、前記ガイド軸より遠い位置にある防振ユニット。
（５）ユニットベースと、
前記ユニットベースに収容される撮像素子と、
前記撮像素子に接続されたフレキシブルプリント基板と、
前記ユニットベースにスライド可能に保持され、前記撮像素子を固定するホルダと、を備える防振ユニットの組立方法であって、
前記フレキシブルプリント基板を前記ユニットベースと第１の取付け部で貼り合わせ、前記フレキシブルプリント基板を、前記フレキシブルプリント基板の、前記第１の取付け部から前記撮像素子まで延設された部分において前記第１の取付け部と前記撮像素子との間に位置する第２の取付け部で貼り合わせ、その後、前記撮像素子を前記ホルダに固定する防振ユニットの組立方法。
【符号の説明】
【００５３】
１    カメラ
２    鏡胴ユニット
３    防振ユニット
１０    鏡胴
２０    撮像素子
２２    磁気駆動部
２３    ユニットベース
２５    フレキシブルプリント基板（ＦＰＣ）
３２    スライド
３４    ホルダ
【図１】
2013041006.tif 000003
【図２】
2013041006.tif 000004
【図３】
2013041006.tif 000005
【図４】
2013041006.tif 000006
【図５】
2013041006.tif 000007
【図６】
2013041006.tif 000008
【図７】
2013041006.tif 000009
【図８】
2013041006.tif 000010
【図９】
2013041006.tif 000011